(57)【要約】【課題】ベース部とフード部との間で係合が緩んでがたつきなどが発生しない排気フードを提供することを課題とする。【解決手段】建物の壁面などに設置される排気フード１において、壁面に取り付けるためのベース部２と、ベース部２の正面側を覆うようにして取り付けるフード部３とを備えたものであり、ベース部２かフード部３の少なくとも一方側には支持部２１が、他方側には被支持部３１が設けられており、支持部２１か被支持部３１の少なくとも一方側には、弾性変形部４１が設けられており、他方側には、上記の弾性変形部４１を変形させるための変形惹起部３２が設けられている。変形惹起部３２によって変形した弾性変形部４１により、ベース部２とフード部３との係合が緩むことなく保持される。これにより、ベース部２とフード部３との間でがたつきが発生することがない。【選択図】          図２
2005180781.tif 000002
【特許請求の範囲】
【請求項１】
建物内から外部に排気を行なうために設けられる、排気路（Ｄ）の先端部に配位されるものであり、建物の壁面などに設置される排気フード（１）において、
壁面に取り付けられると共に、その背面側が上記の排気路（Ｄ）に接続されるベース部（２）と、
排気路（Ｄ）に風雨が侵入することを防止するために、ベース部（２）の正面側を覆うようにして着脱可能に取り付けられたフード部（３）とを備え、
ベース部（２）にはフード部（３）を着脱可能に支持するための支持部（２１）が設けられ、フード部（３）には上記支持部（２１）によって支持される被支持部（３１）が設けられており、
支持部（２１）と被支持部（３１）との少なくとも何れか一方側には、弾性変形部（４１）が設けられており、他方側には、上記の弾性変形部（４１）を変形させるための変形惹起部（３２）が設けられたことを特徴とする排気フード。
【請求項２】
ベース部（２）には、鋼板を折り曲げて形成した付勢部材（４）が設けられ、
付勢部材（４）の少なくとも一部が上記の弾性変形部（４１）となるものであって、
フード部（３）には上記の変形惹起部としての差込片（３２）が設けられ、
ベース部（２）の支持部（２１）にフード部（３）の被支持部（３１）を支持させた際に、差込片（３２）が弾性変形部（４１）に当接することにより、弾性変形部（４１）が変形して差込片（３２）を押圧することを特徴とする、請求項１に記載の排気フード。
【請求項３】
建物内から外部に排気を行なうために設けられる、排気路（Ｄ）の先端部に配位されるものであり、建物の壁面などに設置される排気フード（１）において、
壁面に取り付けられると共に、その背面側が上記の排気路（Ｄ）に接続されるベース部（２）と、
排気路（Ｄ）に風雨が侵入することを防止するために、ベース部（２）の正面側を覆うようにして着脱可能に取り付けられたフード部（３）とを備え、
ベース部（２）の上部にはフード部（３）の荷重を支持するための支持部（２１）が設けられ、フード部（３）には上記支持部（２１）によって支持される被支持部（３１）が設けられており、
この被支持部（３１）に差込片（３２）が設けられ、ベース部（２）の支持部（２１）には、被支持部（３１）の差込片（３２）を着脱可能かつ回動可能に配位するための差込片配位空間（２２ａ）が設けられることにより、ベース部（２）にフード部（３）を取り付けた際には、フード部（３）がベース部（２）に対して被支持部（３１）を中心に回動可能に支持されることを特徴とする排気フード。
【発明の詳細な説明】
【技術分野】
【０００１】
本願発明は、建物内から外部に排気を行なうために設けられる、排気路の先端部に配位されるものであって、建物の壁面などに設置される排気フードに関するものである。
【背景技術】
【０００２】
【特許文献１】特開２００１−２３５１９６号公報
【特許文献２】特開２００２−１３０７５７号公報
【０００３】
従来より、室内の換気を行なうために、建物の壁を貫通するようにして設けた排気路の屋外側先端部であって、壁面に配位して使用する排気フードが広く用いられている。この排気フードにおいて、壁面に取り付けられるベース部と、ベース部を覆うようにして配位されるフード部とが分離可能な構造の排気フードとして、特開２００１−２３５１９６号公報「屋外グリル」（特許文献１）や、特開２００２−１３０７５７号公報「換気フード」（特許文献２）などが示されている。
【０００４】
これら従来の排気フードにおける、ベース部に対するフード部の取り付け方法として、上記の特許文献１に記載のものは、ベース部の板状である外周部分に、フード部に形成された鉤状の係合部を引掛けることによるものであり、特許文献２に記載のものは、ベース部に形成した溝状の係止部に、フード部に形成した係合突起を嵌め込むことによるものである。
上記のように両者とも、ベース部に対し、フード部の一部を嵌め込むようにして取り付けている。
【発明の開示】
【発明が解決しようとする課題】
【０００５】
しかしながら、これら従来の排気フードにおいては、ベース部に対してフード部を単に嵌め込んで係合させたものであるため、ベース部とフード部との間で係合が緩んでがたつきが発生する場合があり、この緩んだ状態のフード部が、排気の圧力や風等に共鳴することによって異音が発生することがあった。
また、このフード部の緩みが大きくなると、ベース部からフード部が脱落してしまうことがあり、例えば台風の時などに、脱落して飛散したフード部の衝突により、周囲に危険を及ぼす可能性もあった。
【０００６】
上記の問題点に鑑み、本願発明は、ベース部とフード部との間で係合が緩んでがたつきなどが発生しない排気フードを提供することを課題とする。
【課題を解決するための手段】
【０００７】
上記課題を解決するために、本願の請求項１に記載の発明は、建物内から外部に排気を行なうために設けられる、排気路Ｄの先端部に配位されるものであり、建物の壁面などに設置される排気フード１において、壁面に取り付けられると共に、その背面側が上記の排気路Ｄに接続されるベース部２と、排気路Ｄに風雨が侵入することを防止するために、ベース部２の正面側を覆うようにして着脱可能に取り付けられたフード部３とを備え、ベース部２にはフード部３を着脱可能に支持するための支持部２１が設けられ、フード部３には上記支持部２１によって支持される被支持部３１が設けられており、支持部２１と被支持部３１との少なくとも何れか一方側には、弾性変形部４１が設けられており、他方側には、上記の弾性変形部４１を変形させるための変形惹起部３２が設けられたことを特徴とする排気フードを提供する。
【０００８】
又、本願の請求項２に記載の発明は、請求項１に記載の発明において、ベース部２には、鋼板を折り曲げて形成した付勢部材４が設けられ、付勢部材４の少なくとも一部が上記の弾性変形部４１となるものであって、フード部３には上記の変形惹起部としての差込片３２が設けられ、ベース部２の支持部２１にフード部３の被支持部３１を支持させた際に、差込片３２が弾性変形部４１に当接することにより、弾性変形部４１が変形して差込片３２を押圧することを特徴とする排気フードを提供する。
【０００９】
又、本願の請求項３に記載の発明は、建物内から外部に排気を行なうために設けられる、排気路Ｄの先端部に配位されるものであり、建物の壁面などに設置される排気フード１において、壁面に取り付けられると共に、その背面側が上記の排気路Ｄに接続されるベース部２と、排気路Ｄに風雨が侵入することを防止するために、ベース部２の正面側を覆うようにして着脱可能に取り付けられたフード部３とを備え、ベース部２の上部にはフード部３の荷重を支持するための支持部２１が設けられ、フード部３には上記支持部２１によって支持される被支持部３１が設けられており、この被支持部３１に差込片３２が設けられ、ベース部２の支持部２１には、被支持部３１の差込片３２を着脱可能かつ回動可能に配位するための差込片配位空間２２ａが設けられることにより、ベース部２にフード部３を取り付けた際には、フード部３がベース部２に対して被支持部３１を中心に回動可能に支持されることを特徴とする排気フードを提供する。
【発明の効果】
【００１０】
本願の請求項１又は２に記載の発明にあっては、変形惹起部（差込片）によって変形した弾性変形部により、ベース部とフード部との係合が緩むことなく保持される。これにより、ベース部とフード部との間でがたつきが発生することがない。
【００１１】
又、本願の請求項３に記載の発明にあっては、フード部がベース部に対して被支持部を中心に回動可能に支持されることにより、ベース部に対するフード部の取り付け作業が高所作業になった場合であっても、容易に取り付けを行なうことができ、安全に作業できる。
【発明を実施するための最良の形態】
【００１２】
以下、図面に基づき、本願発明の実施の一例を取り上げて説明する。図１は本例の排気フードの外観を示す斜視説明図であり、図２はベース部とフード部とを分離した状態を示す斜視説明図であり、図３は内部を示す端面視の説明図である。
【００１３】
本願発明に係る排気フード１は、家庭やビルなどの建物の壁面に設けられるものであって、建物内部から壁の内部を通して壁面へと至る排気路Ｄの屋外側先端部である、壁面の開口部に設けられるものである。
【００１４】
本例の排気フード１は、ベース部２とフード部３とからなる。
ベース部２は、板状の壁面固定板２３と、壁面固定板２３の背面側に位置する導気パイプ２４とを有するものであり、この導気パイプ２４を建物の壁面における排気路Ｄに配位させることによって接続する。
壁面固定板２３にはボルト穴２３ａが設けられており、ここにボルトなどを貫通させて取り付けることにより、壁面固定板２３ａを壁面に密着させて固定することができる。
壁面固定板２３ａの周囲は正面側へ立ち上げられている。この立ち上げられた部分のうち上部が支持部２１である。この支持部２１には差込穴２２が形成されている。この差込穴２２の形成に伴い、ベース部２に形成される差込片配位空間２２ａに対して、フード部３に形成された差込片３２が配位された状態で、ベース部２の支持部２１にフード部３が載ることによって、ベース部２にフード部３が支持される。
【００１５】
ベース部２の上部には付勢部材４が設けられている。
付勢部材４は、本例においては図３（Ｂ）に示すように、鋼板を断面略「コ」の字状に形成したものであり、固定部４１，中間部４２，作用部４３がそれぞれ連続して形成されている。本例においては、固定部４１はリベット４ａによってベース部２に固定されており、固定部４１の正面側下方に中間部４２が配位される。そして、中間部４２の正面側先端から上方に伸びるように作用部４３が配位される。このようにベース部２に付勢部材４が固定されることにより、上記の差込片配位空間２２ａが、付勢部材４において固定部４１，中間部４２，作用部４３の各々に囲まれた空間と一致する。
なお付勢部材４は、本例と異なり、ベース部２と一体に形成したものとしても良い。
【００１６】
この付勢部材４において、ベース部２に対して固定されている固定部４１以外の中間部４２，作用部４３は可撓となっており、この中間部４２や作用部４３が変形した際に付勢力を発する。
そして、本例においては作用部４３の先端部分が、当接下面４３ａ，当接上面４３ｂとして、断面略「く」の字状に折り曲げられており、当接下面４３ａと当接上面４３ｂとの境目である突出した部分が、フード部３の差込片３２に当接するための当接部４３ｃとなる。
当接部４３ｃは、付勢部材４の発する付勢力により、フード部３に対して当接し、押圧力Ｐをもって所定方向に押圧させるものであれば、本例のような形態に限られず種々の形態で実施が可能である。例えば、作用部４３の一部に突起物を取り付けても良いし、作用部４３の全体を当接部４３ｃとし、差込片３２に対して面接触させるものとしても良い。また、当接部４３ｃとフード部３とを直接当接させずに、他の部材を介して間接的に当接させるものとしても良い。
【００１７】
フード部３は、ベース部２の正面側を覆うようにして配位されるものである。具体的には、図２に示すように、上面３１、正面、左右両側面が閉鎖されており、下部（図１においては右側に図示）は開口部３３として開放されている。なお、この下部の開放部においては、鳥などが排気フードの内部や排気路に入り込んで巣を作ったりしないように、図１に示すように防鳥網３３ａが取り付けられている。
フード部３の上面３１は、図２に示すように、一部が下方に折り曲げられており、その部分が差込片３２となっている。この差込片３２は、上記で述べたベース部２における差込片配位空間２２ａに配位され、付勢部材４に当接する。
差込片３２は、ベース部２に設けられた付勢部材４の当接部４３ｃに対しては、変形惹起部として機能する。つまり、ベース部２の差込片配位空間２２ａに差込片３２が配位された際に、付勢部材４の作用部４３が差込片３２により正面側へと押される。つまり、付勢部材４の断面「コ」の字状の形状が広がるように変形がなされ、付勢部材４には、元の形状に戻ろうとする反発力である押圧力Ｐが生じる。付勢部材４の当接部４３ｃと差込片３２とは当接しているため、この押圧力Ｐが当接部４３ｃから差込片３２に伝わる。これにより差込片３２は、差込穴２２の背面側内面２２ｂに当接するか、あるいはフード部３の背面側端部３４が建物の壁面に当接することにより、フード部３が固定される。よって、ベース部２とフード部３との間でがたつきが発生することがなく、従来、このがたつきによって発生していた振動音や、フード部３がベース部２から脱落するような事故を防止することができる。
【００１８】
また、排気フード１の上部においては、ねじなどの締結手段を設けて固定する必要がなく、ベース部２の差込穴２２にフード部の差込片３２を引掛けるだけで良いため、ベース部２にフード部３を取り付ける作業を簡略化させることができ、高所作業となる場合でも、作業を安全に行なうことができる。
【００１９】
なお本例においては、鋼板を折り曲げて断面略「コ」の字状に付勢部材４を形成しているが、付勢部材４の一部や付勢部材４によって連動する部材（本例における当接部４３ｃ）により、フード部３の一部（本例における差込片３２）を押圧するものであれば、例えば断面略「Ｖ」形や「Ｕ」形など他の形態としても良い。また、板ばねやコイルばねや樹脂製の弾性体など、種々の付勢手段を用いることができる。
また、付勢部材４が差込片３２を付勢する方向についても、本例のような、フード部３がベース部２に密着する方向に限られず、フード部３がベース部２に離反する方向に付勢がなされ、本例とは逆である、差込片３２が差込穴２２の正面側内面２２ｃに当接することにより、フード部３が固定されるものとしても良い。
【００２０】
ベース部２とフード部３の固定手段としては、締結手段５が設けられており、本例においては、この締結手段５として、左右側面の下部において、両者を貫通させて固定するねじが設けられている。よって、ベース部２とフード部３は、上部においては付勢手段４により、ベース部２とフード部３との間の係合が緩まないように支持されるものであり、下部においては締結手段５により、両者間の緩みを防止した状態を保持しつつ強固に固定することができる。
ここで、締結手段５については、本例のようなねじに限られるものではなく、従来なされていたように、溝状の係止部に突起を嵌め込むことなどの構造としても良い。
【００２１】
ここで本例において、ベース部２にフード部３を取り付ける際においては、まず、フード部３の差込片３２を、ベース部２の上部に形成された差込穴２２に差し込むようにして差込片配位空間２２ａに配位する。この際においては、上記のように付勢部材４が差込片３２を押圧している状態であるが、固定されていないために、フード部３がベース部２に対し、図３（Ａ）に示す矢印Ｒの方向において回動可能な状態となっている。そして、フード部３の下部をベース部２に一致させ、ねじなどの締結部材５を用いてフード部３をベース部２に固定する。
ここで本例において、フード部３の差込片３２は、上記のように付勢部材４の当接部４３ｃに押圧されるものであるため、これにフード部３は自然にベース部２と一致する。そのため、締結部材５をスムーズに取り付けできる。
このようにして、フード部３の上部をまずベース部２に引掛けることにより、ベース部２に対してフード部３が仮付けできるものであるため、取り付け作業が高所作業になった場合であっても、容易に取り付けを行なうことができ、安全に作業できる。
【００２２】
本願発明に係る排気フード１は、本例として取り上げた形態に限定されるものではなく、種々に変更して実施し得る。
本例においては、正面視が略正方形のベース部２に対して、略直方体であるフード部３を取り付けるものであるが、排気フード１を取り付ける対象である建物のデザインに合わせて、全体を半球状や多面体形状としても良い。
また、本例ではベース部２の上部に支持部２１や付勢手段４を形成し、フード部３には差込片３２を形成しているが、排気フード１の設置場所が狭い場所である場合など、フード部３の取り付け作業に係る動作に制限がある場合においては、これらを排気フード１の側方部や下部に形成するものとしても良い。
また、本例とは逆に、付勢部材４をフード部３や、ベース部２とフード部３の双方に取り付けるものとしても良く、種々に変更して実施し得る。
【図面の簡単な説明】
【００２３】
【図１】本願発明の実施の一例に係る排気フードの外観を示す背面側の斜視説明図であって、排気フードの下方が右側面側を向くように図示したものである。
【図２】本例の排気フードにおいて、ベース部とフード部とを分離した状態を示す斜視説明図である。
【図３】本例の排気フードの内部を示す端面視の説明図である。
【符号の説明】
【００２４】
１      排気フード
２      ベース部
２１    支持部
２２ａ  差込片配位空間
３      フード部
３１    被支持部
３２    変形惹起部、差込片
４      付勢部材
４１    弾性変形部
Ｄ      排気路
【図１】
2005180781.tif 000003
【図２】
2005180781.tif 000004
【図３】
2005180781.tif 000005